【手続補正書】
【提出日】平成17年11月29日(2005.11.29)
【手続補正１】
【補正対象書類名】明細書
【補正対象項目名】特許請求の範囲
【補正方法】変更
【補正の内容】
【特許請求の範囲】
【請求項１】  プレゼンス情報を提供するプレゼンティティと前記プレゼンティティ以外の他のプレゼンティティのプレゼンス情報を観察するウォッチャーとを含んで構成されるプレゼンスサービスクライアントと、プレゼンティティからプレゼンス情報を受け取ってウォッチャーに配信するプレゼンスサービスと、前記プレゼンスサービスクライアント内の前記ウォッチャーが取得した前記他のプレゼンティティのプレゼンス情報の変化を契機に前記プレゼンスサービスクライアント内の前記プレゼンティティのプレゼンス情報を変更するプレゼンス演算手段とを備えることを特徴とするプレゼンスシステム。
【請求項２】  プレゼンス情報を提供するプレゼンティティと前記プレゼンティティ以外の複数の他のプレゼンティティのプレゼンス情報を観察するウォッチャーとを含んで構成されるプレゼンスサービスクライアントと、プレゼンティティからプレゼンス情報を受け取ってウォッチャーに配信するプレゼンスサービスと、前記プレゼンスサービスクライアント内の前記ウォッチャーが取得した前記複数の他のプレゼンティティのプレゼンス情報から算出されるプレゼンス情報に基づいて前記プレゼンスサービスクライアント内の前記プレゼンティティのプレゼンス情報を変更するプレゼンス演算手段とを備えることを特徴とするプレゼンスシステム。
【請求項３】  プレゼンス情報を提供するプレゼンティティと少なくとも前記プレゼンティティ以外のプレゼンティティのプレゼンス情報を観察するウォッチャーとを含んで構成されるプレゼンスサービスクライアントと、プレゼンティティからプレゼンス情報を受け取ってウォッチャーに配信するプレゼンスサービスと、前記プレゼンスサービスクライアント内の前記ウォッチャーが観察するプレゼンティティのプレゼンス情報の変化を契機に前記プレゼンスサービスクライアント内の前記プレゼンティティのプレゼンス情報を変更するプレゼンス演算手段とを備えることを特徴とするプレゼンスシステム。
【請求項４】  プレゼンス情報を提供するプレゼンティティと少なくとも前記プレゼンティティ以外の複数のプレゼンティティのプレゼンス情報を観察するウォッチャーとを含んで構成されるプレゼンスサービスクライアントと、プレゼンティティからプレゼンス情報を受け取ってウォッチャーに配信するプレゼンスサービスと、前記プレゼンスサービスクライアント内の前記ウォッチャーが観察する複数のプレゼンティティのプレゼンス情報から算出されるプレゼンス情報に基づいて前記プレゼンスサービスクライアント内の前記プレゼンティティのプレゼンス情報を変更するプレゼンス演算手段とを備えることを特徴とするプレゼンスシステム。
【請求項５】  前記プレゼンス演算手段が前記ウォッチャーの観察するプレゼンティティのプレゼンス情報から前記プレゼンスサービスクライアント内の前記プレゼンティティのプレゼンス情報をどのように変更するかを規定するプレゼンス変更ルールを保持するプレゼンス変更ルール記憶手段を備えることを特徴とする請求項１乃至４の何れか１項に記載のプレゼンスシステム。
【請求項６】  前記プレゼンスサービスクライアント内の前記プレゼンティティは、前記ウォッチャーが観察する前記複数のプレゼンティティが属するグループのプレゼンティティであることを特徴とする請求項２または４記載のプレゼンスシステム。
【請求項７】  前記グループに属するプレゼンティティを追加、変更、削除するグループメンバ管理手段を備えることを特徴とする請求項６記載のプレゼンスシステム。
【請求項８】  前記プレゼンス演算手段によって前記プレゼンティティのプレゼンス情報を変更して良いかどうかをユーザに問い合わせるプレゼンス変更確認手段を備えることを特徴とする請求項１乃至４の何れか１項に記載のプレゼンスシステム。
【請求項９】  前記プレゼンスサービスクライアント内の前記プレゼンティティは自身のプレゼンスを前記プレゼンスサービスに発行するものであることを特徴とする請求項１乃至８の何れか１項に記載のプレゼンスシステム。
【請求項１０】  自身のプレゼンス情報をプレゼンスサービスに発行するプレゼンティティおよび前記プレゼンティティ以外の他のプレゼンティティのプレゼンス情報を前記プレゼンスサービスから取得するウォッチャーを含んで構成されるプレゼンスサービスクライアント、前記プレゼンスサービスクライアント内の前記ウォッチャーが取得した前記他のプレゼンティティのプレゼンス情報の変化を契機に前記プレゼンスサービスクライアント内の前記プレゼンティティのプレゼンス情報を変更するプレゼンス演算手段、前記プレゼンス演算手段が前記他のプレゼンティティのプレゼンス情報から前記プレゼンスサービスクライアント内の前記プレゼンティティのプレゼンス情報をどのように変更するかを規定するプレゼンス変更ルールを保持するプレゼンス変更ルール記憶手段を備えることを特徴とする情報処理装置。
【請求項１１】  自身のプレゼンス情報をプレゼンスサービスに発行するプレゼンティティおよび前記プレゼンティティ以外の複数の他のプレゼンティティのプレゼンス情報を前記プレゼンスサービスから取得するウォッチャーを含んで構成されるプレゼンスサービスクライアント、前記プレゼンスサービスクライアント内の前記ウォッチャーが取得した前記複数の他のプレゼンティティのプレゼンス情報から算出されるプレゼンス情報に基づいて前記プレゼンスサービスクライアント内の前記プレゼンティティのプレゼンス情報を変更するプレゼンス演算手段、前記プレゼンス演算手段が前記他のプレゼンティティのプレゼンス情報から前記プレゼンスサービスクライアント内の前記プレゼンティティのプレゼンス情報をどのように変更するかを規定するプレゼンス変更ルールを保持するプレゼンス変更ルール記憶手段を備えることを特徴とする情報処理装置。
【請求項１２】  自身のプレゼンス情報をプレゼンスサービスに発行するプレゼンティティおよび少なくとも前記プレゼンティティ以外のプレゼンティティのプレゼンス情報を前記プレゼンスサービスから取得するウォッチャーを含んで構成されるプレゼンスサービスクライアント、前記プレゼンスサービスクライアント内の前記ウォッチャーが観察するプレゼンティティのプレゼンス情報の変化を契機に前記プレゼンスサービスクライアント内の前記プレゼンティティのプレゼンス情報を変更するプレゼンス演算手段、前記プレゼンス演算手段が前記ウォッチャの観察するプレゼンティティのプレゼンス情報から前記プレゼンスサービスクライアント内の前記プレゼンティティのプレゼンス情報をどのように変更するかを規定するプレゼンス変更ルールを保持するプレゼンス変更ルール記憶手段を備えることを特徴とする情報処理装置。
【請求項１３】  自身のプレゼンス情報をプレゼンスサービスに発行するプレゼンティティおよび少なくとも前記プレゼンティティ以外の複数のプレゼンティティのプレゼンス情報を前記プレゼンスサービスから取得するウォッチャーを含んで構成されるプレゼンスサービスクライアント、前記プレゼンスサービスクライアント内の前記ウォッチャーが観察する複数のプレゼンティティのプレゼンス情報から算出されるプレゼンス情報に基づいて前記プレゼンスサービスクライアント内の前記プレゼンティティのプレゼンス情報を変更するプレゼンス演算手段、前記プレゼンス演算手段が前記ウォッチャの観察するプレゼンティティのプレゼンス情報から前記プレゼンスサービスクライアント内の前記プレゼンティティのプレゼンス情報をどのように変更するかを規定するプレゼンス変更ルールを保持するプレゼンス変更ルール記憶手段を備えることを特徴とする情報処理装置。
【請求項１４】  前記プレゼンスサービスクライアント内の前記プレゼンティティは、前記ウォッチャーが観察する複数のプレゼンティティが属するグループのプレゼンティティであることを特徴とする請求項１１または１３記載の情報処理装置。
【請求項１５】  前記グループに属するプレゼンティティを追加、変更、削除するグループメンバ管理手段を備えることを特徴とする請求項１４記載の情報処理装置。
【請求項１６】  前記プレゼンス演算手段および前記プレゼンス変更ルール記憶手段の何れか一方あるいは双方を、前記プレゼンスサービスクライアントを備えるコンピュータとは別のコンピュータあるいはサーバに備えることを特徴とする請求項１０乃至１３の何れか１項に記載の情報処理装置。
【請求項１７】  コンピュータを、自身のプレゼンス情報をプレゼンスサービスに発行するプレゼンティティおよび前記プレゼンティティ以外の他のプレゼンティティのプレゼンス情報を前記プレゼンスサービスから取得するウォッチャーを含んで構成されるプレゼンスサービスクライアント、前記プレゼンスサービスクライアント内の前記ウォッチャーが取得した前記他のプレゼンティティのプレゼンス情報の変化を契機に予め設定されたプレゼンス変更ルールに従って前記プレゼンスサービスクライアント内の前記プレゼンティティのプレゼンス情報を変更するプレゼンス演算手段、として機能させるプログラム。
【請求項１８】  コンピュータを、自身のプレゼンス情報をプレゼンスサービスに発行するプレゼンティティおよび前記プレゼンティティ以外の複数の他のプレゼンティティのプレゼンス情報を前記プレゼンスサービスから取得するウォッチャーを含んで構成されるプレゼンスサービスクライアント、前記プレゼンスサービスクライアント内の前記ウォッチャーが取得した前記複数の他のプレゼンティティのプレゼンス情報と予め設定されたプレゼンス変更ルールとから算出されるプレゼンス情報に基づいて前記プレゼンスサービスクライアント内の前記プレゼンティティのプレゼンス情報を変更するプレゼンス演算手段、として機能させるプログラム。
【請求項１９】  コンピュータを、自身のプレゼンス情報をプレゼンスサービスに発行するプレゼンティティおよび少なくとも前記プレゼンティティ以外のプレゼンティティのプレゼンス情報を前記プレゼンスサービスから取得するウォッチャーを含んで構成されるプレゼンスサービスクライアント、前記プレゼンスサービスクライアント内の前記ウォッチャーが観察するプレゼンティティのプレゼンス情報の変化を契機に予め設定されたプレゼンス変更ルールに従って前記プレゼンスサービスクライアント内の前記プレゼンティティのプレゼンス情報を変更するプレゼンス演算手段、として機能させるプログラム。
【請求項２０】  コンピュータを、自身のプレゼンス情報をプレゼンスサービスに発行するプレゼンティティおよび少なくとも前記プレゼンティティ以外の複数のプレゼンティティのプレゼンス情報を前記プレゼンスサービスから取得するウォッチャーを含んで構成されるプレゼンスサービスクライアント、前記プレゼンスサービスクライアント内の前記ウォッチャーが観察する複数のプレゼンティティのプレゼンス情報と予め設定されたプレゼンス変更ルールとから算出されるプレゼンス情報に基づいて前記プレゼンスサービスクライアント内の前記プレゼンティティのプレゼンス情報を変更するプレゼンス演算手段、として機能させるプログラム。
【手続補正２】
【補正対象書類名】明細書
【補正対象項目名】００１１
【補正方法】変更
【補正の内容】
【００１１】
本発明の第3のプレゼンスシステムは、プレゼンス情報を提供するプレゼンティティと少なくとも前記プレゼンティティ以外のプレゼンティティのプレゼンス情報を観察するウォッチャーとを含んで構成されるプレゼンスサービスクライアントと、プレゼンティティからプレゼンス情報を受け取ってウォッチャーに配信するプレゼンスサービスと、前記プレゼンスサービスクライアント内の前記ウォッチャーが観察するプレゼンティティのプレゼンス情報の変化を契機に前記プレゼンスサービスクライアント内の前記プレゼンティティのプレゼンス情報を変更するプレゼンス演算手段とを備える。
本発明の第4のプレゼンスシステムは、プレゼンス情報を提供するプレゼンティティと少なくとも前記プレゼンティティ以外の複数のプレゼンティティのプレゼンス情報を観察するウォッチャーとを含んで構成されるプレゼンスサービスクライアントと、プレゼンティティからプレゼンス情報を受け取ってウォッチャーに配信するプレゼンスサービスと、前記プレゼンスサービスクライアント内の前記ウォッチャーが観察する複数のプレゼンティティのプレゼンス情報から算出されるプレゼンス情報に基づいて前記プレゼンスサービスクライアント内の前記プレゼンティティのプレゼンス情報を変更するプレゼンス演算手段とを備える。
本発明の第5のプレゼンスシステムは、第1乃至第4のプレゼンスシステムにおいて、前記プレゼンス演算手段が前記ウォッチャの観察するプレゼンティティのプレゼンス情報から前記プレゼンスサービスクライアント内の前記プレゼンティティのプレゼンス情報をどのように変更するかを規定するプレゼンス変更ルールを保持するプレゼンス変更ルール記憶手段を備える。
【手続補正３】
【補正対象書類名】明細書
【補正対象項目名】００１２
【補正方法】変更
【補正の内容】
【００１２】
本発明の第6のプレゼンスシステムは、第2または第4のプレゼンスシステムにおいて、前記プレゼンスサービスクライアント内の前記プレゼンティティは、前記ウォッチャーが観察する前記複数のプレゼンティティが属するグループのプレゼンティティとされる。
【手続補正４】
【補正対象書類名】明細書
【補正対象項目名】００１３
【補正方法】変更
【補正の内容】
【００１３】
本発明の第7のプレゼンスシステムは、第6のプレゼンスシステムにおいて、前記グループに属するプレゼンティティを追加、変更、削除するグループメンバ管理手段を備える。
【手続補正５】
【補正対象書類名】明細書
【補正対象項目名】００１４
【補正方法】変更
【補正の内容】
【００１４】
本発明の第8のプレゼンスシステムは、第1乃至第4のプレゼンスシステムにおいて、前記プレゼンス演算手段によって前記プレゼンティティのプレゼンス情報を変更して良いかどうかをユーザに問い合わせるプレゼンス変更確認手段を備える。
本発明の第9のプレゼンスシステムは、第1乃至第8のプレゼンスシステムにおいて、前記プレゼンスサービスクライアント内の前記プレゼンティティは自身のプレゼンスを前記プレゼンスサービスに発行する。
【手続補正６】
【補正対象書類名】明細書
【補正対象項目名】００１７
【補正方法】変更
【補正の内容】
【００１７】
本発明の第3の情報処理装置は、自身のプレゼンス情報をプレゼンスサービスに発行するプレゼンティティおよび少なくとも前記プレゼンティティ以外のプレゼンティティのプレゼンス情報を前記プレゼンスサービスから取得するウォッチャーを含んで構成されるプレゼンスサービスクライアント、前記プレゼンスサービスクライアント内の前記ウォッチャーが観察するプレゼンティティのプレゼンス情報の変化を契機に前記プレゼンスサービスクライアント内の前記プレゼンティティのプレゼンス情報を変更するプレゼンス演算手段、前記プレゼンス演算手段が前記ウォッチャの観察するプレゼンティティのプレゼンス情報から前記プレゼンスサービスクライアント内の前記プレゼンティティのプレゼンス情報をどのように変更するかを規定するプレゼンス変更ルールを保持するプレゼンス変更ルール記憶手段を備える。
本発明の第4の情報処理装置は、自身のプレゼンス情報をプレゼンスサービスに発行するプレゼンティティおよび少なくとも前記プレゼンティティ以外の複数のプレゼンティティのプレゼンス情報を前記プレゼンスサービスから取得するウォッチャーを含んで構成されるプレゼンスサービスクライアント、前記プレゼンスサービスクライアント内の前記ウォッチャーが観察する複数のプレゼンティティのプレゼンス情報から算出されるプレゼンス情報に基づいて前記プレゼンスサービスクライアント内の前記プレゼンティティのプレゼンス情報を変更するプレゼンス演算手段、前記プレゼンス演算手段が前記ウォッチャの観察するプレゼンティティのプレゼンス情報から前記プレゼンスサービスクライアント内の前記プレゼンティティのプレゼンス情報をどのように変更するかを規定するプレゼンス変更ルールを保持するプレゼンス変更ルール記憶手段を備える。
本発明の第5の情報処理装置は、第2または第4の情報処理装置において、前記プレゼンスサービスクライアント内の前記プレゼンティティは、前記ウォッチャーが観察する前記複数のプレゼンティティが属するグループのプレゼンティティとされる。
【手続補正７】
【補正対象書類名】明細書
【補正対象項目名】００１８
【補正方法】変更
【補正の内容】
【００１８】
本発明の第6の情報処理装置は、第5の情報処理装置において、前記グループに属するプレゼンティティを追加、変更、削除するグループメンバ管理手段を備える。
本発明の第7の情報処理装置は、第1乃至第4の情報処理装置において、前記プレゼンス演算手段および前記プレゼンス変更ルール記憶手段の何れか一方あるいは双方を、前記プレゼンスサービスクライアントを備えるコンピュータとは別のコンピュータあるいはサーバに備える。